(57)【特許請求の範囲】
【請求項１】
ネットワークに接続された複数の装置を特定するアドレス情報を管理する管理サーバに接続された画像処理装置であって、
ネットワーク上の自装置を識別する前記アドレス情報の前記管理サーバへの登録、更新、及び前記管理サーバに登録されている前記アドレス情報の前記管理サーバからの削除を行うアドレス情報更新手段と、
前記管理サーバに登録された自装置を識別する前記アドレス情報を記憶する不揮発性メモリと、
ネットワークに接続する際に、前記管理サーバに対して前回登録した自装置を識別する前記アドレス情報を前記管理サーバから削除した後に、前記登録または前記更新を新たに行うように前記アドレス情報更新手段を制御すると共に、前記不揮発性メモリに記憶された前回登録した自装置を識別する前記アドレス情報を削除して新たに取得した前記アドレス情報を記憶するように前記不揮発性メモリを制御する制御手段と、
を含むことを特徴とする画像処理装置。
【請求項２】
前記制御手段は、電源投入時に前記アドレス情報更新手段及び前記不揮発性メモリを制御することを特徴とする請求項１に記載の画像処理装置。
【請求項３】
ネットワーク上の自装置を識別する前記アドレス情報を自動更新するか否かを設定する設定手段をさらに備え、前記制御手段は、前記設定手段の設定に基づいて、前記アドレス情報更新手段及び前記不揮発性メモリを制御することを特徴とする請求項１に記載の画像処理装置。
【請求項４】
前記制御手段は、前記設定手段の設定が非自動更新設定から自動更新設定に変更されたときに、前記管理サーバに対して前回登録した自装置を識別する前記アドレス情報を前記管理サーバから削除した後に、前記登録または前記更新を行うように前記アドレス情報更新手段を制御すると共に、前記不揮発性メモリに記憶された前回登録した自装置を識別する前記アドレス情報を削除して新たに取得した前記アドレス情報を記憶するように前記不揮発性メモリを制御することを特徴とする請求項３に記載の画像処理装置。
【請求項５】
前記制御手段は、前記設定手段の設定が自動更新設定から非自動更新設定に変更されたときに、前記管理サーバに対して登録したネットワーク上の自装置を識別する前記アドレス情報を前記管理サーバから削除するように前記アドレス情報更新手段を制御すると共に、前記不揮発性メモリに記憶された前回登録した自装置を識別する前記アドレス情報を削除するように前記不揮発性メモリを制御することを特徴とする請求項３に記載の画像処理装置。
【請求項６】
前記制御手段は、前記アドレス情報更新手段によって、少なくとも登録、削除、及び更新の何れか１つの処理がなされた場合に、前記アドレス情報更新手段による処理履歴を前記不揮発性メモリに記憶するように前記アドレス情報更新手段及び不揮発性メモリをさらに制御することを特徴とする請求項１乃至請求項５の何れか１項に記載の画像処理装置。
【請求項７】
前記アドレス情報更新手段によって、少なくとも登録、削除、及び更新の何れか１つの処理がなされた場合に、前記アドレス情報更新手段による処理履歴を報知する報知手段をさらに含むことを特徴とする請求項１乃至請求項６の何れか１項に記載の画像処理装置。
【請求項８】
前記管理サーバは、ＤＮＳサーバであることを特徴とする請求項１乃至請求項７の何れか１項に記載の画像処理装置。
【発明の詳細な説明】
【０００１】
【発明の属する技術分野】
本発明は、画像処理装置にかかり、特に、ネットワークに接続された通信端末から送られてきた画像データを受信しながら、又は蓄積した後、画像データを描画データに展開して記録出力する画像処理装置がネットワークに接続された管理サーバによって管理されているときに、該管理サーバによるアドレス情報管理を適切に行うための機能を有する画像処理装置に関する。
【０００２】
【従来の技術】
近年、インターネットの利用が普及し、その利用に関して様々な技術やサービスの提供が行われている。
【０００３】
プリンタに関しても、ネットワークに接続することで、離れた場所からプリンタを使用することができたり、１台のプリンタを共有することが可能となり、利便性が向上してきた。
【０００４】
また、インターネットやイントラネットが普及し、世界中の接続端末と通信することができたり、必要な情報を自由に得ることができるようになってきた。
【０００５】
インターネットやイントラネットは、ネットワークプロトコルにＴＣＰ／ＩＰ（Transmission Control ProtocolとInternet Protocolとを合体させたもの）を使用しており、接続された装置は、それぞれがＩＰ（Internet Protocol）アドレスという固有のアドレスを有している。これを基にパケットが送信され、通信が行われる。プリンタ装置等の画像形成装置においても、ＴＣＰ／ＩＰ上のアプリケーションを用いて印刷処理がなされる。
【０００６】
しかし、数字の羅列であるＩＰアドレスは、人間にとっては覚えにくく、扱いにくいものである。そこで、これを扱い易くするために、ＤＮＳ（Domain Name System）が考案されている。この方法は、ＲＦＣ（Request For Comet）１０３４、ＲＦＣ１０３５で定義されている。なお、ＲＦＣは、ＩＥＴＦ（Internet Engineering Task Force：インターネット技術調査特別委員会）という機関によって作成されたＴＣＰ／ＩＰ標準が記された文書である。
【０００７】
ＤＮＳを用いることで、ＩＰアドレスをＦＱＤＮ（Fully Qualified Domain Name）と関連付け、数字であるＩＰアドレスではなく、ホスト名とドメイン名からなるＦＱＤＮを用いて端末を指定できるようになった。
【０００８】
一方、近年ではネットワークが急激に大きくなり、ネットワーク管理にかかる負担が多大なものとなってきた。そこで、ＤＨＣＰ（Dynamic Host Configuration Protocol）に代表されるアドレスの自動割付機能が考案されている。ＤＨＣＰは、サーバがアドレス情報等を一元管理して、自動的に配布するアドレス管理方法であり、ＲＦＣ１５１４で定義されている。ＤＨＣＰを使用することにより、アドレス管理者は個々の端末毎にアドレスを設定する必要がなくなり、管理を容易に行うことができる。
【０００９】
しかし、アドレスの自動割付が行われるようになると、あるＦＱＤＮを持つ端末が、必ずしもいつも同じアドレスを取得するとは限らない。このような状況では一対一の静的なデータベースでは、ＦＱＤＮとＩＰアドレスを管理することができない、という問題が発生する。そこで、これを解消するために、ダイナミックＤＮＳという機能が考案された。ダイナミックＤＮＳは、クライアント自身が、自装置に与えられたＦＱＤＮとＩＰアドレスの対をＤＮＳサーバに登録する機能を持つものであり、ＲＦＣ２１３６にて定義されている。ダイナミックＤＮＳを使用することで、ＩＰアドレスが変化する場合にも、ＤＮＳデータベースは、各クライアントによって自動的に正しいものへと更新されることができるようになった。
【００１０】
ダイナミックＤＮＳでは、クライアントからサーバのデータベース上の情報を削除するための、更新パケットのフォーマットを規定しているが、これを使用するためには、消すべき情報を保持している必要がある。予期しない電源のオンオフがなされない端末においては、自動的に割り付けられるアドレスが変化したことを検出し、これに基づいてＤＮＳサーバに変更登録を行うことで、正しいＤＮＳサーバを運用できる。すなわち、通常、電源をオンしたときに行われる初期化処理や電源をオフしたときに行われる終了処理等でＤＮＳサーバに変更登録が行われ、これによって正しいＤＮＳサーバ運用が可能となる。
【００１１】
【発明が解決しようとする課題】
しかしながら、クライアントの利用形態によっては、ダイナミックＤＮＳを導入しただけでは、ＤＮＳサーバ上のデータベースが常に正しいものにできるとは限らない場合がある。
【００１２】
ダイナミックＤＮＳクライアントの一例としては、プリンタなどユーザによって頻繁な電源のオンオフが想定される端末も考えられる。このような端末では、特にクライアントのアドレス情報が電源の遮断をはさんで変化した場合、電源オフする前の古いドメイン情報が削除されずにサーバのデータベース上に長期間保持されることになる。
【００１３】
古いドメイン情報がサーバ上に残っていると、データベースの不整合が起き、ネットワークにおけるＤＮＳ運用において、混乱を生じる可能性がある、という問題がある。
【００１４】
本発明は、上記問題を解決すべく成されたもので、電源の遮断が頻繁に行われる装置においてもアドレス情報の矛盾や不整合が発生するような設定が行われることを防止することができる画像処理装置を提供することを目的とする。
【００１５】
【課題を解決するための手段】
上記目的を達成するために請求項１に記載の発明は、ネットワークに接続された複数の装置を特定するアドレス情報を管理する管理サーバに接続された画像処理装置であって、ネットワーク上の自装置を識別する前記アドレス情報の前記管理サーバへの登録、更新、及び前記管理サーバに登録されている前記アドレス情報の前記管理サーバからの削除を行うアドレス情報更新手段と、前記管理サーバに登録された自装置を識別する前記アドレス情報を記憶する不揮発性メモリと、ネットワークに接続する際に、前記管理サーバに対して前回登録した自装置を識別する前記アドレス情報を前記管理サーバから削除した後に、前記登録または前記更新を新たに行うように前記アドレス情報更新手段を制御すると共に、前記不揮発性メモリに記憶された前回登録した自装置を識別する前記アドレス情報を削除して新たに取得した前記アドレス情報を記憶するように前記不揮発性メモリを制御する制御手段と、を含むことを特徴としている。
【００１６】
請求項１に記載の発明によれば、アドレス情報更新手段では、ネットワークに接続された複数の装置を特定するアドレス情報を管理する管理サーバに対して、ネットワーク上の自装置を識別するアドレス情報の管理サーバへの登録、更新及び管理サーバに登録されているアドレス情報の管理サーバからの削除が行われる。例えば、ダイナミックＤＮＳでは、管理サーバによるアドレス情報の自動割り付けが行われるが、該ダイナミックＤＮＳ管理サーバに対して、アドレス情報更新手段は、自装置を識別するアドレス情報の登録、削除、更新等を行うことができる。
【００１７】
不揮発性メモリには、管理サーバに登録された自装置を識別するアドレス情報が記憶される。不揮発性メモリにアドレス情報が記憶されるので、装置の電源が切れた状態でも管理サーバに登録したアドレス情報を保持することができる。
【００１８】
また、制御手段が、ネットワークに接続する際に、管理サーバに対して前回登録した自装置を識別するアドレス情報を管理サーバから削除した後に、管理サーバに自装置のアドレス情報を登録又は更新するようにアドレス情報更新手段を制御すると共に、不揮発性メモリに記憶された前回登録した自装置を識別するアドレス情報を削除して新たに取得したアドレス情報を記憶するように不揮発性メモリを制御する。これにより、ネットワークに接続することが可能となり、自装置のアドレス情報を削除することにより、次に接続した際に前のアドレス情報が管理サーバに残っていることによる不整合を防止することができる。
【００１９】
すなわち、不揮発性メモリの記憶内容は電源のオンオフに関わらず保持されるので、電源が頻繁にオンオフされる場合でも管理サーバに登録した前回のアドレス情報が不揮発性メモリに保持され、保持された前回のアドレス情報を用いて、管理サーバから前回のアドレス情報を削除することができる。従って、アドレス情報の登録、削除、更新などを行う初期化処理や終了処理を実施するのが難しい装置でも、アドレス情報の矛盾や不整合が発生するような設定が行われることを防止することができる。
【００２０】
なお、制御手段によるアドレス情報更新手段及び不揮発性メモリの制御は、請求項２に記載の発明のように、電源投入時に行うようにしてもよい。
【００２１】
請求項３に記載の発明は、請求項１に記載の発明において、ネットワーク上の自装置を識別する前記アドレス情報を自動更新するか否かを設定する設定手段をさらに備え、前記制御手段は、前記設定手段の設定に基づいて、前記アドレス情報更新手段及び前記不揮発性メモリを制御することを特徴としている。
【００２２】
請求項３に記載の発明によれば、請求項１に記載の発明において、ネットワーク上の自装置を識別するアドレス情報を自動更新するか否かを設定する設定手段をさらに備えている。このとき制御手段が、設定手段の設定に基づいて、アドレス情報更新手段及び不揮発性メモリを制御する。すなわち、制御手段では、設定手段の設定が自動更新するであった場合に、アドレス情報更新手段及び不揮発性メモリの制御が行われ、自動更新しない場合には、アドレス情報更新手段及び不揮発性メモリの制御が行われないようにすることができる。従って、ダイナミックＤＮＳを用いた管理サーバと接続する場合やダイナミックＤＮＳとは異なる手動でアドレス情報を登録する管理サーバと接続する場合とで、使い分けることができるようになる。
【００２３】
請求項４に記載の発明は、請求項３に記載の発明において、前記制御手段は、前記設定手段の設定が非自動更新設定から自動更新設定に変更されたときに、前記管理サーバに対して前回登録した自装置を識別する前記アドレス情報を前記管理サーバから削除した後に、前記登録または前記更新を行うように前記アドレス情報更新手段を制御すると共に、前記不揮発性メモリに記憶された前回登録した自装置を識別する前記アドレス情報を削除して新たに取得した前記アドレス情報を記憶するように前記不揮発性メモリを制御することを特徴としている。
【００２４】
請求項４に記載の発明によれば、請求項３に記載の発明において、制御手段が、設定手段の設定が非自動更新設定から自動更新設定に変更されたときに、アドレス情報更新手段及び不揮発性メモリの制御を行うようにすることにより、管理サーバに対して前回登録したアドレス情報を管理サーバ及び不揮発性メモリから削除してから、アドレス情報の登録を行うので、アドレス情報の矛盾や不整合が発生するような設定が行われることを防止することができる。
【００２５】
請求項５に記載の発明は、請求項３に記載の発明において、前記制御手段は、前記設定手段の設定が自動更新設定から非自動更新設定に変更されたときに、前記管理サーバに対して登録したネットワーク上の自装置を識別する前記アドレス情報を前記管理サーバから削除するように前記アドレス情報更新手段を制御すると共に、前記不揮発性メモリに記憶された前回登録した自装置を識別する前記アドレス情報を削除するように前記不揮発性メモリを制御することを特徴としている。
【００２６】
請求項５に記載の発明によれば、請求項３に記載の発明において、設定手段の設定が自動更新から非自動更新に変更されたときには、管理サーバ上に前回のアドレス情報が残ってしまうので、制御手段が、登録したネットワーク上の自装置を識別するアドレス情報を管理サーバ及び不揮発性メモリから削除するようにアドレス情報更新手段及び不揮発性メモリを制御することにより、前回のアドレス情報が管理サーバ上に残存するのを防止することができる。
【００２７】
なお、請求項１乃至請求項５の何れか１項に記載の発明は、請求項６に記載の発明のように、アドレス情報更新手段による処理履歴を不揮発性メモリに記憶するようにしてもよい。これによって、何かの不具合の際には、処理履歴を読み出すことにより不具合解析することが可能となる。
【００２８】
また、請求項１乃至請求項６の何れか１項に記載の発明は、請求項７に記載の発明のように、アドレス情報更新手段による処理履歴を報知手段によって報知するようにしてもよい。例えば、報知手段としては、処理履歴を表示する表示手段や処理履歴を用紙等の記録媒体に記録する記録手段等を用いることによって、アドレス情報更新手段による処理履歴を報知することが可能である。
【００２９】
さらに、請求項１乃至請求項７の何れか１項に記載の発明は、請求項８に記載の発明のように、管理サーバとしてＤＮＳサーバを適用することができる。このとき、ＤＮＳサーバとしては、ダイナミックＤＮＳに対応したものを適用することができる。
【００３０】
【発明の実施の形態】
以下、図面を参照して本発明の実施の形態の一例を詳細に説明する。
【００３１】
図１には、本発明の実施の形態に係る画像処理装置１０の構成を示す。図１に示すように、本発明の画像処理装置１０は、ネットワーク１２に接続されており、ネットワーク１２には、管理サーバ１４が接続されている。管理サーバ１４としては、ＤＮＳサーバが設置され、ドメイン名、ホスト名等の装置を識別する識別情報と該装置に対応するＩＰアドレス等のアドレス情報が管理される。また、管理サーバ１４はダイナミックＤＮＳに対応したＤＮＳサーバが適用され、ネットワーク１２に接続される装置からの接続要求に応じて装置の識別情報に対応するＩＰアドレス等のアドレス情報を自動的に割り付けるようになっている。すなわち、画像処理装置１０が管理サーバ１４に対して接続要求を行うと、接続要求時に通知される識別情報に基づいてアドレス情報が割り付けられ、これによって相互接続される。
【００３２】
画像処理装置１０は、ネットワークインタフェース１６、アドレス情報更新手段１８、ユーザインタフェース２０、制御手段２２、不揮発性メモリ２４、及び印刷処理部２６を含んで構成されており、それぞれバス２８に接続されている。
【００３３】
画像処理装置１０は、ネットワークインタフェース１６を介してネットワーク１２に接続されており、ネットワークインタフェース１６は、イーサネット（Ｒ）を介してデータの送受信を行う処理部で、ネットワークに接続されている図示しないホスト装置から受信データである画像データやコードデータを受信する。
【００３４】
アドレス情報更新手段１８は、不揮発性メモリ２４に記憶されたホスト名やドメイン名等の装置を識別する識別情報を管理サーバ１４に送信し、管理サーバ１４によって自動割り付けされたアドレス情報を取得して、不揮発性メモリ２４に記憶する機能を有する。また、管理サーバ１４に前回登録された識別情報及びアドレス情報を削除する機能を有する。
【００３５】
制御手段２２は、アドレス情報更新手段１８によって行うアドレス情報更新動作のタイミングを制御すると共に、アドレス情報更新動作で用いる不揮発性メモリ２４に記憶されたデータの更新を行い、アドレス情報更新動作が正常に行われるように制御を行う。
【００３６】
印刷処理部２６は、ネットワークインタフェース１６を介して受信した受信データ（画像データやコードデータ等）や不揮発性メモリ２４に記憶された情報を用紙等の印刷媒体に印刷を行う。
【００３７】
不揮発性メモリ２４は、印刷処理部２６の初期化パラメータ、上述したホスト名やドメイン名等の装置を識別する識別情報、管理サーバ１４より受信したアドレス情報、アドレス情報自動登録可否の設定などを記憶する。不揮発性メモリ２４は、画像処理装置１０の電源が切られた状態でも不揮発性メモリ２４に記憶された情報を保持するようになっている。
【００３８】
ユーザインタフェース２０は、画像処理装置１０の状態をユーザに通知する機能や画像処理装置１０の各種設定を行うことが可能なようになっており、画像処理装置１０における各種設定（例えば、上述した装置を識別する識別情報やアドレス情報自動登録可否の設定等）や印刷処理部２６における印刷処理の実行指示等を行うことができる。ユーザインタフェース２０としては、例えば、画像処理装置１０に設けられた液晶パネルや各種設定を行うキーなどのローカルな操作手段を適用してもよいし、パーソナルコンピュータ等によるソフト処理による各種設定等を行う遠隔操作可能な操作手段を適用するようにしてもよい。
【００３９】
続いて、上述のように構成された画像処理装置１０において、ネットワーク１２に接続する際の動作について説明する。
【００４０】
電源投入時の動作は、図２に示すフローチャートに従って行われる。すなわち、ステップ１００では、電源が投入されると、制御手段２２によって不揮発性メモリ２４からアドレス自動登録許可情報が読み出されて、アドレス自動登録許可情報が自動登録許可か否か判定される。該判定が肯定された場合には、ステップ１０２へ移行して後述する更新処理が行われる。そして、ステップ１０４へ移行して、印刷処理指示や各種設定変更等のイベント待ち状態へ移行し、電源投入時の処理が終了される。
【００４１】
また、ステップ１００の判定が否定された場合には、更新処理は行われずにステップ１０４へ移行してイベント待ち状態へ移行して電源投入時の処理が終了される。
【００４２】
一方、イベント待ち状態において、アドレス自動登録可否情報が更新不可から更新可能に変更された場合の動作は、図３に示すフローチャートに従って行われる。すなわち、ステップ１１０では、イベントとしてアドレス自動登録可否情報がユーザインタフェース２０等によって更新不可から更新可能に変更されたか否か制御手段２２によって判定される。該判定が構成された場合には、ステップ１１２へ移行して、後述する更新処理が行われる。そして、ステップ１１４へ移行して、印刷処理指示や各種設定変更等のイベント待ち状態へ移行して、アドレス自動登録情報可否情報が更新不可から更新可能に変更された場合の処理が終了される。
【００４３】
また、ステップ１１０の判定が否定された場合には、更新処理は行われずにステップ１１４へ移行して再びイベント待ち状態へ移行する。
【００４４】
上述の更新処理は、図４に示すフローチャートに従って行われる。すなわち、更新処理へ移行すると、ステップ１２０で、前回管理サーバ１４に登録した識別情報及びアドレス情報を削除する指示を管理サーバ１４に出力するようにアドレス情報更新手段１８が制御手段２２に制御される。これによって、管理サーバ１４では、前回登録した識別情報及び該識別情報に対応して自動割付したアドレス情報を削除し、削除が完了した通知を返信する。
【００４５】
ステップ１２２では、管理サーバ１４より返信される削除完了通知を受信したか否か制御手段２２によって判定される。該判定が否定された場合には、削除完了通知を受信するまで待機する。なお、所定時間が経過しても削除完了通知が受信されない場合には、再びステップ１２０へ戻って前回登録識別情報及びアドレス情報を管理サーバ１４より削除する指示出力を行ってもよい。
【００４６】
ステップ１２２の判定が肯定された場合には、ステップ１２４へ移行して、制御手段２２の制御により、管理サーバ１４に前回登録したアドレス情報（管理サーバ１４に対して接続要求を行うことによって、管理サーバ１４によって自動割り付けされた前回のアドレス情報）が不揮発性メモリ２４より削除される。そして、ステップ１２６移行して、ステップ１２４における削除内容が履歴（ログ）として不揮発性メモリ２４に記憶される。
【００４７】
次に、ステップ１２８では、アドレス情報を管理サーバに登録指示するように制御手段２２によってアドレス情報更新手段１８が制御される。すなわち、アドレス情報更新手段１８より管理サーバ１４に対して接続要求が出力され、これによって管理サーバ１４では、識別情報及び該識別情報に対応するアドレス情報が自動的割り付けし、アドレス情報を登録完了通知として返信する。
【００４８】
ステップ１３０では、該登録完了通知を受信したか否か制御手段２２によって判定される。該判定が否定された場合には、登録完了通知を受信するまで待機する。なお、所定時間が経過しても登録完了通知が受信されない場合には、再びステップ１２８へ戻ってアドレス情報を監視サーバに登録指示するようにしてもよい。
【００４９】
ステップ１３０の判定が肯定された場合には、ステップ１３２へ移行して、制御手段２２の制御により、管理サーバ１４より受信した登録アドレス情報が不揮発性メモリ２４に記憶される。これによって、相互通信が可能となる。
【００５０】
そして、ステップ１３４では、ステップ１３２の登録内容が履歴（ログ）として不揮発性メモリ２４に記憶されて、更新処理が終了される。
【００５１】
このように本発明の実施の形態に係る画像処理装置１０では、電源投入時に、電源遮断前に管理サーバ１４に登録した識別情報及び該識別情報に対応して管理サーバ１４によって自動割付されたアドレス情報を削除してから、管理サーバ１４に対して接続要求を行うので、初期化処理や終了処理等を行わずに電源のオンオフが行われても、前回に登録した識別情報及びアドレス情報が管理サーバ１４上に残ってしまうことによる不整合を回避することができる。
【００５２】
また、自動登録可否情報が登録不可から登録可能に変更された場合にも、同様に、管理サーバ１４に登録した前回の識別情報及び該識別情報に対応して自動割付されたアドレス情報を削除してから、管理サーバ１４に対して接続要求を行うので、前回登録した識別情報及びアドレス情報が管理サーバ１４上に残ってしまうことによる不整合を回避することができる。
【００５３】
続いて、イベント待ち状態において、アドレス自動登録可否情報が更新可能から更新不可に変更された場合の動作について図５のフローチャートを参照して説明する。
【００５４】
ステップ１５０では、イベントとしてアドレス自動登録可否情報がユーザインタフェース２０等によって更新可能から更新不可に変更されたか否か制御手段２２によって判定される。該判定が肯定された場合には、ステップ１５２へ移行して、後述する削除更新処理が行われる。そして、ステップ１５４へ移行して、印刷処理指示や各種設定変更等のイベント待ち状態へ移行して、アドレス自動登録可否情報が更新可能から更新不可に変更された場合の処理が終了される。
【００５５】
また、ステップ１５０の判定が否定された場合には、削除更新処理は行われずにステップ１５４へ移行して再びイベント待ち状態へ移行する。
【００５６】
上述の削除更新処理は、図６に示すフローチャートに従って行われる。すなわち、ステップ１６０で、前回管理サーバ１４に登録した識別情報及びアドレス情報を削除する指示を管理サーバ１４に出力するようにアドレス情報更新手段１８が制御手段２２に制御される。これによって、管理サーバ１４では、前回登録した識別情報及び該識別情報に対応して自動割付したアドレス情報を削除し、削除が完了した通知を返信する。
【００５７】
ステップ１６２では、管理サーバ１４より返信される削除完了通知を受信したか否か制御手段２２によって判定される。該判定が否定された場合には、削除完了通知を受信するまで待機する。なお、所定時間が経過しても削除完了通知が受信されない場合には、再びステップ１６０へ戻って前回登録識別情報及びアドレス情報を管理サーバ１４より削除する指示出力を行ってもよい。
【００５８】
ステップ１６２の判定が肯定された場合には、ステップ１６４へ移行して、制御手段２２の制御により、管理サーバ１４に前回登録したアドレス情報（管理サーバ１４に対して接続要求を行うことによって、管理サーバ１４によって自動割付された前回のアドレス情報）が不揮発性メモリ２４より削除される。そして、ステップ１６６へ移行して、ステップ１６４における削除内容が履歴（ログ）として不揮発性メモリ２４に記憶されて、削除更新処理が終了される。
【００５９】
このように、自動登録可否情報が登録可能から登録不可に変更された場合には、管理サーバ有るに登録した識別情報及び該識別情報に対応して自動割り付けされたアドレス情報を削除するので、続いて、自動登録可否情報が登録可能に変更された場合などのときに、前回に登録した識別情報及びアドレス情報が管理サーバ１４上に残ってしまうことによる不整合を回避することができる。
【００６０】
なお、削除処理を行った後に行われる図４に示す更新処理においては、既に前回に登録した識別情報及びアドレス情報が管理サーバ１４上から削除されているので、制御手段２２が不揮発性メモリ２４に記憶されたログから削除処理を行った履歴を検出し、これに基づいて、図４に示すステップ１２０〜ステップ１２６の処理は省略するようにしてもよい。すなわち、更新処理を行う際に削除処理が既に行われていることが検出された場合には、図４に示すステップ１２０〜ステップ１２６の処理を省略して更新処理を行い、更新処理を行う際に削除処理が行われていないことが検出された場合には、図４に示すステップ１２０〜ステップ１２６の処理を省略せずに更新処理を行うことによって、削除処理が２重に行われることを防止することができる。
【００６１】
また、本発明の実施の形態に係る画像処理装置１０では、不揮発性メモリ２４に更新履歴としてログを記憶しているので、上述のように、更新履歴に基づいて更新処理を行うべきか削除処理を行うべきか判断することも可能であり、更新履歴から装置の状態を管理することが可能となる。
【００６２】
なお、上記の実施の形態における更新内容（例えば、更新処理や削除更新処理等）は、ユーザインタフェース等の操作手段などに設けられた液晶表示装置などの表示手段に表示するようにしてもよいし、印刷処理部２６により用紙等の印刷媒体に印刷することにより、ユーザに報知するようにしてもよい。この場合には、例えば、ユーザインタフェース２０等の操作手段によって更新履歴の報知を指示する情報が入力された場合に、表示手段への表示や印刷処理部２６による印刷等を行うようにしてもよい。
【００６３】
【発明の効果】
以上説明したように本発明によれば、ネットワークに接続された複数の装置を特定するアドレス情報を管理する管理サーバに登録された自装置を識別するアドレス情報を不揮発性メモリに記憶し、該不揮発性メモリに記憶されたアドレス情報に基づいて、ネットワーク上の自装置を識別するアドレス情報の登録、削除及び更新を行うことにより、前回登録した自装置を識別するアドレス情報を削除することが可能となり、続いて登録する際に、前のアドレス情報が管理サーバに残っていることによる不整合を防止することができるので、電源の遮断が頻繁に行われる装置においてもアドレス情報の矛盾や不整合が発生するような設定が行われることを防止することができる、という効果がある。
【図面の簡単な説明】
【図１】  本発明の実施の形態に係る画像処理装置の概略構成を示す図である。
【図２】  本発明の実施の形態に係る画像処理装置の電源投入時の動作を示すフローチャートである。
【図３】  アドレス自動登録可否情報が更新不可から更新可能に変更された場合の動作を示すフローチャートである。
【図４】  更新処理を示すフローチャートである。
【図５】  アドレス自動登録可否情報が更新可能から更新不可に変更された場合の動作を示すフローチャートである。
【図６】  削除更新処理を示すフローチャートである。
【符号の説明】
１０    画像処理装置
１２    ネットワーク
１４    管理サーバ
１６    ネットワークインタフェース
１８    アドレス情報更新手段
２０    ユーザインタフェース
２２    制御手段
２４    不揮発性メモリ
２６    印刷処理部
【図１】
0004016634.tif 000002
【図２】
0004016634.tif 000003
【図３】
0004016634.tif 000004
【図４】
0004016634.tif 000005
【図５】
0004016634.tif 000006
【図６】
0004016634.tif 000007